(57)【要約】【課題】端子係止部材をコネクタハウジングに確実に仮係止・本係止させる。【解決手段】端子４，６４を収容するコネクタハウジング２，４２，６２と、コネクタハウジングにスライド式に装着されるホルダ３，４３，６３とを備えるコネクタ１，４１，６１であって、コネクタハウジングの開口部７に端子係止部材９を回動自在に設け、ホルダに、端子係止部材を開口部に押し込んで仮係止させる第一の傾斜部２６と、さらに押し込んで本係止させる第二の傾斜部２９とを設けた。係止部材の仮係止時に、係止部材の先端が第二の傾斜部に当接する。係止部材を複数配置し、第一の傾斜部と第二の傾斜部とを各係止部材に対応して複数配置した。【選択図】図１
2007305454.tif 000002
【特許請求の範囲】
【請求項１】
端子を収容するコネクタハウジングと、該コネクタハウジングにスライド式に装着されるホルダとを備え、該コネクタハウジングの開口部に端子係止部材が回動自在に設けられ、該ホルダに、該端子係止部材を開口部に押し込んで仮係止させる第一の傾斜部と、さらに押し込んで本係止させる第二の傾斜部とが設けられたことを特徴とするコネクタ。
【請求項２】
前記係止部材の仮係止時に、該係止部材の先端が前記第二の傾斜部に当接することを特徴とする請求項１記載のコネクタ。
【請求項３】
前記係止部材の仮係止時に、該係止部材の先端部の外面に前記ホルダの壁部が接して位置することを特徴とする請求項１又は２記載のコネクタ。
【請求項４】
前記係止部材の本係止時に、該係止部材の先端部が前記コネクタハウジングの壁部と前記ホルダの壁部とで挟まれて位置することを特徴とする請求項１〜３の何れかに記載のコネクタ。
【請求項５】
前記係止部材が複数配置され、前記第一の傾斜部と第二の傾斜部とが各係止部材に対応して複数配置されたことを特徴とする請求項１〜４の何れかに記載のコネクタ。
【請求項６】
前記コネクタハウジング内の端子一次係止用の係止ランスの撓み空間に進入する突出部が前記ホルダに設けられたことを特徴とする請求項１〜５の何れかに記載のコネクタ。
【請求項７】
異なる種類の端子が前記コネクタハウジング内の他種の係止ランスで係止され、該他種の係止ランスが前記ホルダの他種の突出部で撓み阻止されることを特徴とする請求項１〜６の何れかに記載のコネクタ。
【発明の詳細な説明】
【技術分野】
【０００１】
本発明は、コネクタハウジング内の端子を係止ランスと係止部材とで二重に係止したり、フロントホルダの突出部で係止ランスの撓みを阻止したりするコネクタに関するものである。
【背景技術】
【０００２】
図１５は、従来のコネクタの一形態を示すものである（特許文献１参照）。
【０００３】
このコネクタ８１は、合成樹脂製のコネクタハウジング８２と、コネクタハウジング８２の各端子収容室８３内に挿入される電線付きの端子１００とで構成され、コネクタハウジング８２に一次係止用の可撓性のランス８４と二次係止用の係止部材８５とが設けられ、係止部材８５が後端のヒンジを支点に回動自在に配置されたものである。
【０００４】
係止部材８５は、コネクタハウジング８２の開口８６に対する仮係止用の段部８７と本係止用の段部８８とを有している。図１５の係止部材８５の仮係止状態で後部開口８３ａから端子１０１が端子収容室８３に挿入されて係止ランス８４で一次係止され、次いで係止部材８５をコネクタハウジング内に押し込むことで、端子１０１の段部１０２が係止部材８５の前端面で二次係止される。
【０００５】
図１５では上側の端子収容室８３のみを図示しているが、下側にも端子収容室が上側の端子収容室８３に対して千鳥状にずれて且つ上下反転して配置されている。図１５で符号８９は下側の端子収容室間の隔壁を示す。下側の端子収容室内の端子１００は上側と同様な係止部材８５で二重係止される。
【０００６】
図１６は、従来のコネクタの他の形態を示すものである（特許文献２参照）。
【０００７】
このコネクタ９１は、合成樹脂製のコネクタハウジング９２と、コネクタハウジング９２の前部に装着される合成樹脂製のフロントホルダ９３と、コネクタハウジング９２の端子収容室９４内に挿入される電線付きの雌端子９５とで構成されたものである。
【０００８】
コネクタハウジング９２は端子係止ランス９６を有し、フロントホルダ９３は、係止ランス９６の撓み空間９７に進入する板状の突出部９８を有している。
【０００９】
コネクタハウジング９２からフロントホルダ９３を前方に少し抜き出した状態（仮係止状態）で、端子９５が端子収容室内に挿入されて係止ランス９６で係止され、フロントホルダ９３を押し込むことで、突出部９８が係止ランス９６の撓み空間９７に進入して係止ランス９６の撓みを阻止し、端子係止力が高められる（二重係止される）。
【００１０】
端子９５が不完全挿入である場合は、係止ランス９６が撓んだ状態となり、突出部９８が係止ランス９６に当接して、それ以上のフロントホルダ９３の押し込みができず、端子挿入異常が検知される。
【特許文献１】特開平１０−３１２８４７号公報（図７）
【特許文献２】特開２００１−１８５２７５号公報（図７）
【発明の開示】
【発明が解決しようとする課題】
【００１１】
しかしながら、上記従来の図１５のコネクタ８１にあっては、コネクタハウジング内に挿入されて係止ランス８４で一次係止された上下の各端子に対して、上下の係止部材８５を一つずつコネクタハウジング内に押し込んで端子を二次係止させなければならず、端子の二次係止に多くの手間を必要とするという問題や、一部の係止部材８５の二次係止忘れが発生し兼ねないという懸念があった。この問題は、コネクタハウジング８２の上側又は下側に複数の係止部材８５を設定した場合に特に懸念されることであった。また、係止部材８５が一つの場合であっても、作業者が手作業で係止部材８５をコネクタハウジング内に押し込むために、場合によっては係止部材８５の仮係止や本係止が不完全になり兼ねないという懸念があった。
【００１２】
また、係止部材８５の係止用の二つの段部８７，８８が繰り返しの係止操作によって摩耗等を起こした場合に、係止部材８５が仮係止されずに本係止されて、端子の挿入作業性が低下するという懸念や、係止部材８５の仮係止時や本係止時の節度感が低減するという懸念あった。
【００１３】
また、異なる種類（大きさ・形状）の端子を一つのコネクタハウジング内に収容する場合は、係止ランス８４の位置が端子長手方向にずれるために、係止部材８５を配置できなくなったり、また、同じ種類の端子でも上側の端子収容室８３と下側の端子収容室とで端子を上下反転させることなく、同じ向きで収容する場合に、係止部材８５を配置できなくなって、端子の二重係止を行えなくなるという問題があった。
【００１４】
本発明は、上記した点に鑑み、端子係止部材をコネクタハウジングに作業ミスなく確実に仮係止及び本係止させることができ、しかも、複数の係止部材を同時に係止させることができ、加えて、端子の一次係止操作時と二次係止操作時の節度感や確実性を高め、さらに、異なる種類の端子を用いたり端子を同じ向きで収容する場合でも各端子を高い係止力で確実に係止することのできるコネクタを提供することを目的とする。
【課題を解決するための手段】
【００１５】
上記目的を達成するために、本発明の請求項１に係るコネクタは、端子を収容するコネクタハウジングと、該コネクタハウジングにスライド式に装着されるホルダとを備え、該コネクタハウジングの開口部に端子係止部材が回動自在に設けられ、該ホルダに、該端子係止部材を開口部に押し込んで仮係止させる第一の傾斜部と、さらに押し込んで本係止させる第二の傾斜部とが設けられたことを特徴とする。
【００１６】
上記構成により、ホルダをコネクタハウジングにスライド式に仮装着することで、第一の傾斜部が係止部材を一次押し込みして（係止部材の先端が第一の傾斜部に沿って摺動して一次押し込みされて）コネクタハウジングに仮係止させる。この状態でコネクタハウジング内に端子が挿入される。次いで、ホルダをさらにスライドさせてコネクタハウジングに本装着すると同時に、第二の傾斜部が係止部材をさらに押し込んで（係止部材の先端が第二の傾斜部に沿って摺動して二次押し込みされて）、コネクタハウジングに本係止させる。この状態で端子が係止部材で確実に係止されて抜け防止される。
【００１７】
請求項２に係るコネクタは、請求項１記載のコネクタにおいて、前記係止部材の仮係止時に、該係止部材の先端が前記第二の傾斜部に当接することを特徴とする。
【００１８】
上記構成により、作業者がホルダをコネクタハウジングにスライド式に仮装着した際に、係止部材の先端が第一の傾斜部を経て第二の傾斜部に当接し、作業者がその当接した感触を手で感じることができる。この状態からホルダを更にスライド式に装着方向に押し込むことで、係止部材が第二の傾斜部に沿って摺動しつつ押し込まれて端子を係止する。仮係止時に係止部材の先端が第二の傾斜面に当接しているから、小さな外力が不用意に作用しても、ホルダが本係止へ移行してしまうことがない。
【００１９】
請求項３に係るコネクタは、請求項１又は２記載のコネクタにおいて、前記係止部材の仮係止時に、該係止部材の先端部の外面に前記ホルダの壁部が接して位置することを特徴とする。
【００２０】
上記構成により、係止部材の先端の外面がホルダの壁部の内面に接することで、仮係止時に係止部材がコネクタハウジングから外部に飛び出してしまうことが防止され、係止部材の仮係止状態が確実に維持される。
【００２１】
請求項４に係るコネクタは、請求項１〜３の何れかに記載のコネクタにおいて、前記係止部材の本係止時に、該係止部材の先端部が前記コネクタハウジングの壁部と前記ホルダの壁部とで挟まれて位置することを特徴とする。
【００２２】
上記構成により、係止部材の本係止状態が強固に維持され、外力等が作用した場合でも、係止部材が不用意に本係止から仮係止に移行してしまうことが確実に防止される。
【００２３】
請求項５に係るコネクタは、請求項１〜４の何れかに記載のコネクタにおいて、前記係止部材が複数配置され、前記第一の傾斜部と第二の傾斜部とが各係止部材に対応して複数配置されたことを特徴とする。
【００２４】
上記構成により、複数の係止部材の仮係止操作や本係止操作がホルダのスライド操作で同時に行われる。
【００２５】
請求項６に係るコネクタは、請求項１〜５の何れかに記載のコネクタにおいて、前記コネクタハウジング内の端子一次係止用の係止ランスの撓み空間に進入する突出部が前記ホルダに設けられたことを特徴とする。
【００２６】
上記構成により、ホルダの本装着（完全装着）時に突出部が係止ランスの撓みを阻止して、端子を係止部材と共に三重に係止させることで、端子係止力が格段に高まる。コネクタハウジングへの端子の挿入が不完全な場合は、撓んだ係止ランスの先端に突出部が突き当たることで、ホルダの本装着ができず、端子挿入異常が検知される。
【００２７】
請求項７に係るコネクタは、請求項１〜６の何れかに記載のコネクタにおいて、異なる種類の端子が前記コネクタハウジング内の他種の係止ランスで係止され、該他種の係止ランスが前記ホルダの他種の突出部で撓み阻止されることを特徴とする。
【００２８】
上記構成により、ホルダの仮装着時にコネクタハウジング内の他種の端子が他種の係止ランスで一次係止され、ホルダの本装着時にホルダの突出部が他種の係止ランスの撓み空間に進入して撓みを阻止することで、他種の端子が強固に二次係止される。
【発明の効果】
【００２９】
請求項１記載の発明によれば、ホルダのスライド装着動作でコネクタハウジングに端子係止用の係止部材を確実に仮係止及び本係止させることができるから、係止部材を作業者の手指で押し込む場合に較べて仮係止及び本係止の不完全や忘れを起こす心配がなく、仮係止時の端子挿入や本係止時の端子の係止が確実に行われて、コネクタの品質が向上する。
【００３０】
請求項２記載の発明によれば、係止部材の先端が第二の傾斜部に当接した感触を作業者が手で感じることで、係止部材の仮係止の節度感を得られ、係止部材を確実に仮係止させることができる。また、係止部材の先端が第二の傾斜部に当接することで、外部の干渉等によっても不用意な本係止への移行が防止され、仮係止での端子挿入が正確に行われる。
【００３１】
請求項３記載の発明によれば、コネクタハウジングへの係止部材の仮係止状態が維持されることで、コネクタハウジングへの端子の挿入作業を正確に行うことができる。
【００３２】
請求項４記載の発明によれば、コネクタハウジングへの係止部材の本係止状態がしっかりと維持されることで、端子の不用意な係止外れが防止されて、コネクタ接続（端子相互の電気的接続）の信頼性が向上する。
【００３３】
請求項５記載の発明によれば、複数の係止部材の仮係止操作や本係止操作をホルダのスライド操作で同時に行うことができるから、作業者が手で複数の係止部材をコネクタハウジング内に押し込んで仮係止や本係止させる場合に較べて、コネクタの組立作業性が高まると共に組立工数が低減される。
【００３４】
請求項６記載の発明によれば、係止ランスとその撓み阻止用の突出部と係止部材とで端子が三重に係止されて、端子の抜け出しが確実に防止され、コネクタ接続の信頼性が向上する。また、コネクタハウジングへの端子の挿入不良を突出部で検知することで、コネクタ接続の信頼性がさらに向上する。
【００３５】
請求項７記載の発明によれば、コネクタハウジング内に他種の端子を収容する場合でも、他種の端子が係止ランスとその撓みを阻止するホルダの突出部とで強固に係止されるから、コネクタ接続の信頼性が向上する。
【発明を実施するための最良の形態】
【００３６】
図１〜図４は、本発明に係るコネクタの第一の実施形態を示すものである。
【００３７】
図１〜図２の如く、このコネクタ１は、合成樹脂製のコネクタハウジング２と、コネクタハウジング２の前部から後方に装着される合成樹脂製のフロントホルダ３と、コネクタハウジング２に後方から挿入される電線付きの雌端子４とで構成されるものである。
【００３８】
コネクタハウジング２は上下二段の端子収容室５（図２）を有し、雌端子４は上下の各端子収容室５に対称（背中合わせ）に収容される。上下の各端子収容室５の前半側に可撓性のアーム状の第一の端子係止ランス６が対称に設けられ、各端子収容室５の長手方向中間部に開口部７が設けられ、各開口部７の後端に、端子係止用の複数の突起８を並列に有する略板状の端子係止部材（以下単に係止部材と言う）９が薄肉のヒンジ１０で連結されて開閉自在に設けられている。
【００３９】
係止部材９は、板状部１１（図１）と、板状部１１の内面側に並列に突出した複数の突起８（図２）と、板状部１１の後端をコネクタハウジング２と一体に連結するヒンジ１０とで構成されている（突起部分８を第二の係止ランスと呼称することも可能である）。複数の突起８をリブ状の一つの突部としてコネクタ幅方向に連続させることも可能である。
【００４０】
第一の係止ランス６は小型のものであり、上側の端子収容室５内の係止ランス６は先端側に上向きの突起６ａ（図４）を有し、下側の端子収容室内の係止ランス６は先端側に下向きの突起６ａを有し、各突起６ａの前端面が係止面となっている。上下の各係止ランス６はコネクタハウジング２の中間の隔壁１２（図２）から斜め前方に突出形成されている。隔壁１２の外面と各係止ランス６との間に撓み空間１３（図４）が形成されている。
【００４１】
係止部材９の突起８は第一の係止ランス６よりも大型であり、上側の係止部材９は先端側に下向きの突起８を有し、下側の係止部材９は前端側に上向きの突起８を有し、各突起８の前端面が係止面となっている。各係止部材９は自由状態で後方のヒンジ１０を支点に端子収容室５の外側に斜め前向きに弾性的に突出している。
【００４２】
なお、明細書で「上下」の方向性は説明の便宜上のものであり、必ずしもコネクタ１の使用方向と一致するものではない。「前後」とは前をコネクタ嵌合方向、後をコネクタ離脱方向と定義する。
【００４３】
上側の係止部材９のヒンジ１０はコネクタハウジング２の後半の水平な壁部１４（図２）に続き、係止部材９の下側に開口部７（図１）が各端子収容室５に連通して複数並列に配置され、開口部７の前端は前半の壁部１４ａに続き、前半の壁部１４ａは後半の壁部１４よりも一段低く位置している。下側の係止部材９や開口部７や前後の壁部１４は上側とは対称に形成されている。
【００４４】
コネクタハウジング２の上壁１４に相手コネクタハウジング（図示せず）に対するロック用の突起１６（図１）を有する両持ちのロックアーム１７が設けられている。上壁１４と下壁１４においてロックアーム１７の両側とコネクタハウジング２の左右両端側に、フロントホルダ３に対する各二対のガイドレール１８（図１）が設けられている。ロックアーム１７の左右両側に各係止部材９が配置されている。コネクタハウジング２は前端壁１９に端子収容室５の前部開口５ａ（図１）を有し、後端壁２０（図２）に後部開口５ｂを有している。
【００４５】
フロントホルダ３は前端の垂直な壁部２１と上下の水平な各壁部２２とで略コの字状に形成されている。前端の壁部２１に、コネクタハウジング２の各端子収容室５の前部開口５ａに続く雄端子挿入用の矩形状の各孔部２３を有し、各孔部２３の周縁には相手コネクタ（図示せず）の雄端子をスムーズに案内するためのテーパ状のガイド面２３ａが形成されている。
【００４６】
フロントホルダ３の上下の各壁部２２の幅方向中間部にロックアーム１７を避ける矩形状の切欠部２４が設けられ、切欠部２４の両端縁と壁部２２の左右端とがガイドレール１８に対するスライド係合部２５となっている。
【００４７】
フロントホルダ３の上下の壁部２２の後端側に、係止部材９をコネクタハウジング２内に押し込んで仮係止（一次押し込み）させるための第一の傾斜面（傾斜部）２６を有する突出壁２７が一体に設けられている。突出壁２７は端子収容室５の位置に対応して切欠部２４の両側に配置されている。
【００４８】
各突出壁２７はフロントホルダ３の上下の壁部２２から外側に平行に離間した板部２７ａと、板部２７ａを壁部２２と連結する複数のリブ２７ｂとで構成され、板部２７ａとリブ２７ｂとは前後端に傾斜面２６を有している（少なくとも後端の傾斜面２６があればよい）。後端の傾斜面２６は壁部２２から後方に突出している。後端の傾斜面２６は内向きに位置している（上側の突出壁２７の傾斜面２６は下向きに、下側の突出壁２７の傾斜面２６は上向きに位置している）。
【００４９】
フロントホルダ３の上下の壁部２２の内面には前後方向に延びるリブ２８が設けられ、リブ２８の後端は壁部２２の後端よりも少し前側に位置し、リブ２８の後端に、係止部材９を仮係止状態からさらに押し込んで本係止（二次押し込み）させるための第二の傾斜面（傾斜部）２９が設けられている。第二の傾斜面２９は第一の傾斜面２６よりも少し立った角度で形成されている。
【００５０】
フロントホルダ３の前端の壁部２１の内面側には、コネクタハウジング２に対する仮係止手段と本係止手段とが設けられている。これら係止手段はアーム部３０（図２）と、アーム先端側の各突起３１とで構成されている。コネクタハウジング２にはこれら突起３１に対する係合部（図示せず）が設けられている。これらの係止手段は既存のものを流用している。
【００５１】
また、フロントホルダ３の前端壁２１の内面には、コネクタハウジング２の第一の係止ランス６の撓み空間１３（図４）に進入可能な板状ないしピン状の突出部３２（図２）が設けられている。この突出部３２は係止ランス６の撓み阻止用と端子不完全挿入時の検知用との両方の機能を兼ねている。
【００５２】
図３〜図４は、係止部材９の仮係止状態を示すものである。フロントホルダ３は仮係止手段でコネクタハウジング２に仮係止（仮装着）された状態で、両前端壁１９，２１（図４）の間に隙間を有して、前方に少し突出している。
【００５３】
フロントホルダ３はスライド式にコネクタハウジング２に装着され、上下の各係止部材９の前端部（先端部）９ａがフロントホルダ３の後端側の第一の各傾斜面２６で内向きに押されてコネクタハウジング２の各開口部７内に同時に進入し、且つフロントホルダ３が少し後方（押し込み方向）にスライドして、各係止部材９の薄肉の前端部９ａがフロントホルダ３の上下の壁部２２の内側に進入して、各係止部材９の傾斜状の前端面９ｂが第二の各傾斜面２９に当接する。係止部材９の各突起８はコネクタハウジング２の前半の壁部１４ａの開口部７の前端７ａに対向して位置する。このようにして、上下の複数の係止部材９の仮係止操作がフロントホルダ３の各突出壁２７によって同時に効率良く行われる。
【００５４】
第二の傾斜面２９が係止部材９の前端部９ａに当接することで、作業者がフロントホルダ３の仮係止の完了を認識することができる。そして、フロントホルダ３を後方へ意識的に押し込まない限り、本係止（本装着）方向にフロントホルダ３がスライドしないので、作業者はフロントホルダ３の仮係止作業と次の本係止作業（端子４の二重係止作業）を確実に履行することができる。
【００５５】
係止部材９の仮係止状態で、コネクタハウジング２に後方から雌端子４が挿入され、第一の係止ランス６で一次係止される。すなわち、係止ランス６の突起６ａが雌端子４の矩形筒状の電気接触部の中間側の凹部３３に係合する。フロントホルダ３の突出部３２は係止ランス６の撓み空間１３の入口側で係止ランス６の前端よりも若干前方に位置する。万一、雌端子４が不完全挿入（半挿入）である場合は、係止ランス６が端子４の電気接触部で押されて撓んだままとなる。
【００５６】
図５〜図６は、各係止部材９の本係止状態、すなわち雌端子４の二次（二重）係止状態を示すものである。フロントホルダ３は本係止手段でコネクタハウジング２に本係止され、両前端壁１９，２１は隙間なく当接している。
【００５７】
各係止部材９はフロントホルダ３の第二の傾斜面２９から前方に摺動して（傾斜面２９が係止部材９の前端面９ｂから後方に摺動して）、各係止部材９の薄板状の前端部９ａがリブ（壁部）２８とコネクタハウジング２の前半の壁部１４ａとの間に挟まれて位置し、各係止部材９の突起８が各端子４の後段部３４を二次係止している。このようにして、上下の各係止部材９の本係止操作と各端子４の二次係止とが同時に効率良く行われる。
【００５８】
係止ランス６の撓み空間１３にはフロントホルダ３の突出部３２が進入し、係止ランス６の撓みが阻止されている。これによって、雌端子４が係止ランス６とランス撓み阻止用の突出部３２と係止部材９とで三重に係止され、係止力が格段にアップする。
【００５９】
また、係止部材９がフロントホルダ３の第一の傾斜面２６と第二の傾斜面２９とに段階的に当接しながら撓む構造であるので、各傾斜面２６，２９によって係止部材９の撓み量が段階的に確定し、係止部材９の仮係止時と本係止時とでフロントホルダ３を押し込み方向にスライドさせる際の抵抗感がはっきりし、それによって仮係止作業と本係止作業が良好な節度感をもって確実に行われる。
【００６０】
図３〜図４において端子４の挿入が不完全である場合には、撓んだ係止ランス６の前端に突出部３２が当接して、それ以上のフロントホルダ３の押し込み操作ができないから、端子挿入異常が検知される。端子４の不完全挿入時には、係止部材９の突起８が端子４の電気接触部に当接することで、係止部材９が本係止されないから、これによってもフロントホルダ３の押し込みができず、端子挿入異常が二重に検知される。
【００６１】
端子４の抜き出し操作は、フロントホルダ３を本係止解除して前方に引き出して仮係止させ、係止ランス６の係止を治具棒（図示せず）で解除することで行われる。図４の如くフロントホルダ３の仮係止時に係止部材９がフロントホルダ３の上下の壁部２２に当接した位置で止まるため、次の端子挿入後の本係止作業が容易である。
【００６２】
なお、第一の実施形態において、端子４に対する二重係止兼不完全挿入確認用の突出部３２を設けない場合でも、二重係止部材９によって端子４が強い係止力で確実に係止されるから、実用性は十分である。
【００６３】
図７〜図１０は、本発明に係るコネクタの第二の実施形態を示すものである。
【００６４】
図７〜図８の如く、このコネクタ４１は、複数種（本例で二種類）の電線付きの雌端子４，４４を合成樹脂製のコネクタハウジング４２内に収容して、合成樹脂製のフロントホルダ４３で二重係止させるものである。
【００６５】
上側の小さな雌端子４は第一の実施形態と同様の係止ランス６と係止部材９で二重係止される。係止ランス６や係止部材９の構成及び作用は第一の実施形態と同様である。第一の実施形態と同様の構成部分には同じ符号を付して詳細な説明を省略する。
【００６６】
下側の大きな雌端子（他種の端子）４４はコネクタハウジング４２の端子収容室４５内の大きな可撓性の他種の係止ランス４６とフロントホルダ４３の板状ないしピン状の他種の突出部４７によって二重係止される。突出部４７は、図９のフロントホルダ４３の仮係止時に係止ランス４６の撓み空間４８の少し前方に位置し、図１０のフロントホルダ４３の本係止時に係止ランス４６の撓み空間４８に進入して係止ランス４６の撓みを阻止して高い端子係止力を発揮する。
【００６７】
下側の係止ランス４６は端子収容室４５（図８）のほぼ中央部分に下向きに配置され、下向きの突起４６ａを有し、コネクタハウジング４２の上下の端子収容室５，４５を仕切る隔壁４９に一体に形成されている。上側の小さな係止ランス６は下側の係止ランス４６よりも前方に位置し、上側の小さな雌端子４と下側の大きな雌端子４４とは腹合わせではなく同じ姿勢で挿着され、図１０の如く下側の雌端子４４は矩形筒状の電気接触部の後段部５０を係止ランス４６で係止される。
【００６８】
図７〜８で、符号２６は突出壁２７の第一の傾斜面（傾斜部）、２９はリブ２８の第二の傾斜面（傾斜部）、３０は仮係止手段と本係止手段、３２は上側の係止ランス６の撓み空間１３に進入する突出部、５１は下側の雌端子４４の突起５２を進入させるガイド溝をそれぞれ示している。
【００６９】
フロントホルダ４３は上側の壁部２２が長く形成され、下側と左右の各壁部５３は短く形成されて、図１０の本係止時にコネクタハウジング４２の前端部の外側に係合する。フロントホルダ４３の前端の壁部２１には相手雄端子挿入用の孔部２３が複数設けられ、各孔部２３には相手コネクタの雄端子（図示せず）をスムーズに案内するためのテーパ状のガイド面２３ａが形成されている。
【００７０】
下側の雌端子４４の挿入が不完全である場合には、係止ランス４６が撓んで、フロントホルダ４３の突出部４７の後端（先端）が係止ランス４６の前端に当接して、それ以上のフロントホルダ４３の押し込み操作ができないので、端子４４の挿入異常が検知される。これは上側の端子４についても同様である。上側の端子４に対する突出部３２は省略しても、係止ランス６と係止部材９とで二重係止されるから、端子係止力は十分に確保される。
【００７１】
なお、第二の実施形態において、種類の異なる上下の各端子４，４４を背中合わせに収容する場合には、下側の端子４４の電気接触部の中間部を上側の端子４と同様に係止ランス４６で係止させ、下側の端子４４の電気接触部の後端５０を下側の係止部材（図示せず）で二重係止させるようにすることも可能である。
【００７２】
この場合、下側の係止部材は第一の実施形態（図２）と同様にコネクタハウジング（２）の下壁の開口（７）に設けられ、フロントホルダ（３）の下側の第一の傾斜面（２６）と第二の傾斜面（２９）で仮係止と本係止がなされる。この際、上側と下側の係止部材（９）の位置を前後にずらして配置することも可能であり、その係止部材（９）の位置に応じてフロントホルダ（３）の上下の各傾斜面（２６，２９）の位置も前後にずらして配置される。
【００７３】
図１１〜図１４は、本発明に係るコネクタの第三の実施形態を示すものである。
【００７４】
図１１〜図１２の如く、このコネクタ６１は、異なる種類の電線付きの雄端子６４，６５を合成樹脂製のコネクタハウジング６２内に上下二段に同じ姿勢で収容して、合成樹脂製のフロントホルダ６３で二重係止させるものである。基本的な構造は第一及び第二の実施形態と同様であるので、同様の構成部分には同じ符号を付して詳細な説明を省略する。上下の端子６４，６５が同じ姿勢とは電線圧着部６６の向きが同じことを言う。
【００７５】
コネクタハウジング６２は前半にコネクタ嵌合室６７を構成するフード部（周壁）６８を有し、後半に上下の端子収容室６９，７０を成す端子収容部７１を有している。係止部材９とそれを係合させる開口部７は端子収容部７１の上壁７２に設けられている。
【００７６】
図１３の如く、上側の雄端子６４のタブ状電気接触部に続く胴部の凹部７３がコネクタハウジング６２の小さな係止ランス６で一次係止され、図１４の如く、係止部材９の下向きの突起８で雄端子６４の胴部の後端が二次係止される。図１３はフロントホルダ６３の仮係止状態、図１４はフロントホルダ６３の本係止状態である。
【００７７】
フロントホルダ６３（図１２）は前端側の垂直な壁部２１と上側の水平な壁部２２と下側と左右の短い壁部（周壁）５３とを備え、上側の壁部２２に、第一の傾斜面（傾斜部）２６を有する突出壁２７と、第二の傾斜面（傾斜部）２９を有するリブ２８とが設けられ、前端側の壁部２１の内面に、下側の他種の係止ランス４６の撓み空間４８（図１３）に進入する長い他種の突出部４７と、上側の係止ランス６の撓み空間１３（図１３）に進入する短い突出部３２が設けられている。上側の突出部３２は省略可能である。
【００７８】
フロントホルダ６３の上側の壁部２２には幅方向中間部に切欠部２４が設けられ、コネクタハウジング６２のフード部６８内に切欠部２４の両側端（スライド係合部）２５をスライド係合させるガイドレール１８が設けられている。フード部６８には相手側コネクタ（第二の実施形態のコネクタ４１）のロックアーム１７を係合させる凹部７４が設けられている。
【００７９】
フロントホルダ６３の上壁２２はコネクタハウジング６２のフード壁６８の内側を通って端子収容部７１の上壁７２の外面に沿って挿着される。フード部６８の後壁にはフロントホルダ６３の上壁２２を挿通させる開口部７５が設けられている。上壁２２の後端の突出壁２７の傾斜面２６が係止部材９を端子収容部７１内に押し込んで、図１３の如く仮係止させる。この状態で後方から上下の各雄端子６４，６５が挿入される。図１２で符号３１はコネクタハウジング６２にフロントホルダ６３を仮係止及び本係止させる手段である。
【００８０】
下側の端子（他種の端子）６５は、コネクタハウジング６２の水平な隔壁７６のほぼ中央部分で下向きに設けられた大きな係止ランス４６の突起４６ａで胴部の後端を係止され、図１４のフロントホルダ６３の押し込み操作時に突出部４７で係止ランス４６の撓みが阻止されて二重係止される。フロントホルダ６３の前端壁２１はコネクタハウジング６２の端子収容部７１の前端壁７７（図１２）に当接する。
【００８１】
下側の係止ランス４６は長い突出部４７で撓み阻止され、上側の係止ランス６は短い突出部３２で撓み阻止される。図１３のフロントホルダ６３の仮係止状態で各雄端子６４，６５の挿入が不完全である場合には、撓んだ係止ランス６，４６に各突出部３２，４７が当接して、それ以上のフロントホルダ６３の押し込みができず、端子挿入異常が検知される。
【００８２】
なお、第三の実施形態において、上下の雄端子６４，６５を第一の実施形態のように上下対称（背中合わせないし腹合わせ）に収容する場合には、コネクタハウジング６２の端子収容部７１の上下の壁部７２に第一の実施形態と同様の係止部材７２と開口部７を設け、中間の水平な隔壁７６に上下の係止ランス６，４６を設けて、フロントホルダ６３の上下の壁部２２の各突出壁２７の第一の傾斜面２６と各リブ２８の第二の傾斜面２９とで上下の端子６４，６５を同時にあるいは時間差をおいて（上下の傾斜面２６，２９を前後にずらした場合）二重係止させるようにすることも可能である。
【００８３】
また、上記各実施形態においては、コネクタハウジング２，４２，６２の少なくとも上壁１４，７２に左右二つの係止部材９を設け、フロントホルダ３，４３，６３の少なくとも上壁２２に左右二つの第一の傾斜面２６第二の傾斜面２９とを設けて、フロントホルダの押し込み操作で各係止部材を同時に効率良く仮係止及び本係止させるようにしたが、例えば、コネクタハウジング２，４２，６２の少なくとも上壁に一つのみ係止部材９を設けた場合でも、フロントホルダ（第一及び第二の傾斜面２６，２９は各一つでよい）の押し込み操作で係止部材を人為的なミスなく確実に仮係止及び本係止させることができる。
【００８４】
また、上記各実施形態においては、端子４，６４を係止ランス６で一次係止させた後、係止部材９で二次係止させたが、係止ランス６に代えて、例えば端子に設けた可撓係止片（図示せず）をコネクタハウジングの凹部（図示せず）に係合させたりすることも可能である。また、端子４，６４を一次係止させなくとも、端子４，６４が抜け出さないような構造となっていれば（例えば端子が端子収容室に圧入気味に挿入される等）、係止ランス６を用いずに、直接に係止部材９で端子４，６４を係止させることも可能である。
【００８５】
また、上記各実施形態においては、フロントホルダ３，４３，６３を用いて係止部材９の押し込みと係止ランス６，４６の撓み阻止を行わせたが、例えばリヤホルダ（図示せず）を用いてこれら係止部材の押し込みと係止ランスの撓み阻止を行わせることも可能である。この場合、リヤホルダには、後端の垂直な壁部に電線付きの端子を貫通させる孔部が設けられ、上下の壁部に係止部材をコネクタハウジング内に押し込む仮係止用の第一の傾斜面と本係止用の第二の傾斜面とが設けられ（係止部材の突出方向は前向きでも後向きでもよい）、後向きに突出した係止ランスの撓み空間に進入する突出部が後端の垂直な壁部に設けられる。リヤホルダは端子付き電線に防水栓を装着する場合に好適である。
【図面の簡単な説明】
【００８６】
【図１】本発明に係るコネクタの第一の実施形態を示す分解斜視図である。
【図２】同じくコネクタを示す分解縦断面図である。
【図３】コネクタの端子の一次係止状態を示す斜視図（枠内は要部拡大図）である。
【図４】同じく端子の一次係止状態を示す縦断面図である。
【図５】コネクタの端子の二次係止状態を示す斜視図（枠内は要部拡大図）である。
【図６】同じく端子の二次係止状態を示す縦断面図である。
【図７】本発明に係るコネクタの第二の実施形態を示す分解斜視図である。
【図８】同じくコネクタを示す分解縦断面図である。
【図９】同じくコネクタの端子の一次係止状態を示す縦断面図である。
【図１０】同じく端子の二次係止状態を示す縦断面図である。
【図１１】本発明に係るコネクタの第三の実施形態を示す分解斜視図である。
【図１２】同じくコネクタを示す分解縦断面図である。
【図１３】コネクタの端子の一次係止状態を示す縦断面図である。
【図１４】同じく端子の二次係止状態を示す縦断面図である。
【図１５】従来のコネクタの一形態を示す縦断面図である。
【図１６】従来のコネクタの他の形態を示す縦断面図である。
【符号の説明】
【００８７】
１，４１，６１  コネクタ
２，４２，６２  コネクタハウジング
３，４３，６３  フロントホルダ（ホルダ）
４              雌端子
６              係止ランス
７              開口部
９              端子係止部材
９ａ            先端部
１３            撓み空間
１４ａ          壁部
２２            壁部
２６            第一の傾斜面（傾斜部）
２９            第二の傾斜面（傾斜部）
２８            リブ（壁部）
３２            突出部
４４            雌端子（他種の端子）
４６            他種の係止ランス
４７            他種の突出部
６４            雄端子
６５            雄端子（他種の端子）
【図１】
2007305454.tif 000003
【図２】
2007305454.tif 000004
【図３】
2007305454.tif 000005
【図４】
2007305454.tif 000006
【図５】
2007305454.tif 000007
【図６】
2007305454.tif 000008
【図７】
2007305454.tif 000009
【図８】
2007305454.tif 000010
【図９】
2007305454.tif 000011
【図１０】
2007305454.tif 000012
【図１１】
2007305454.tif 000013
【図１２】
2007305454.tif 000014
【図１３】
2007305454.tif 000015
【図１４】
2007305454.tif 000016
【図１５】
2007305454.tif 000017
【図１６】
2007305454.tif 000018